(57)【要約】【課題】エアホースをジョイント式にし、エアホースが外から見えないようにすると共に、背もたれ部を倒した状態から、背もたれ部を起こしたときに、エアホースの接続が自動的に確実に行われるようにした椅子式エアマッサージ機のエアホース接続構造を提供する。【解決手段】座部１の後方に起倒自在とした背もたれ部２を装備し、その座部１および背もたれ部２に複数のエアバッグ３を配設し、これらエアバッグ３を膨縮させてマッサージ施療を行うようにし、座部１の後部下方にエア供給装置５から配されるエアホース６のジョイント部６ａを配設すると共に、背もたれ部２の下端部にこの背もたれ部２のエアバッグ３から配されるエアホース６のジョイント部６ｂを配設し、背もたれ部２を起こしたときにジョイント部６ａとジョイント部６ｂが結合状態になり、背もたれ部２を倒したときにジョイント部６ａとジョイント部６ｂの結合が外れた状態になるようにした。【選択図】　　　　図３
2004141622.tif 000002
【特許請求の範囲】
【請求項１】
座部（１）の後方に起倒自在とした背もたれ部（２）を装備し、その座部（１）および背もたれ部（２）に複数のエアバッグ（３）を配設し、これらエアバッグ（３）を膨縮させてマッサージ施療を行うようにした椅子式エアマッサージ機において、座部（１）の後部下方にエア供給装置（５）から配されるエアホース（６）のジョイント部（６ａ）を配設すると共に、背もたれ部（２）の下端部にこの背もたれ部（２）のエアバッグ（３）から配されるエアホース（６）のジョイント部（６ｂ）を配設し、背もたれ部（２）を起こしたときにジョイント部（６ａ）とジョイント部（６ｂ）が結合状態になるようにし、背もたれ部（２）を倒したときにジョイント部（６ａ）とジョイント部（６ｂ）の結合が外れた状態になるようにしたことを特徴とする椅子式エアマッサージ機のエアホース接続構造。
【請求項２】
前記エアホース（６）のジョイント部（６ａ）を、座部（１）の下方に配設されたフレーム（７）に突設した支持板（８）に取り付けたものとしたことを特徴とする請求項１記載の椅子式エアマッサージ機のエアホース接続構造。
【請求項３】
前記支持板（８）を弾性体としたことを特徴とする請求項２記載の椅子式エアマッサージ機のエアホース接続構造。
【請求項４】
前記座部（１）の下方に配設されたフレーム（７）の後端部にロック部材（１０）を設け、背もたれ部（２）の下端部にロック手段（９）を設け、背もたれ部（２）を起こしたときにロック部材（１０）とロック手段（９）が固定状態になり、背もたれ部（２）を倒したときにロック部材（１０）とロック手段（９）の固定が解除された状態になるようにしたことを特徴とする請求項１〜３の何れかに記載の椅子式エアマッサージ機のエアホース接続構造。
【請求項５】
前記エアホース（６）のジョイント部（６ａ）を、背もたれ部（２）の本体フレーム（１１）の前方向に回動自在として取り付けた回動フレーム（１２）の下部に設けた水平フレーム（１２ａ）に取り付けて、座部（１）の後部下方に配設したものとし、前記エアホース（６）のジョイント部（６ｂ）を、背もたれ部（２）の本体フレーム（１１）の下部に設けた水平フレーム（１１ａ）に取り付けて、背もたれ部（２）の下端部に配設したことを特徴とする請求項１記載の椅子式エアマッサージ機のエアホース接続構造。
【請求項６】
前記本体フレーム（１１）を、適宜間隔をおいて縦方向に平行に配設した縦フレーム（１１ｂ）の間に、前記水平フレーム（１１ａ）を掛け渡したものとし、前記回動フレーム（１２）を、適宜間隔をおいて縦方向に平行に配設した縦フレーム（１２ｂ）の間に、前記水平フレーム（１２ａ）を掛け渡したものとし、本体フレーム（１１）の縦フレーム（１１ｂ）の下部寄りに、回動フレーム（１２）の縦フレーム（１２ｂ）の上端を軸支し、水平フレーム（１２ａ）が水平フレーム（１１ａ）の下方に位置するようにして、本体フレーム（１１）の前方向に回動自在として回動フレーム（１２）を取り付けたことを特徴とする請求項５記載の椅子式エアマッサージ機のエアホース接続構造。
【請求項７】
前記回動フレーム（１２）の水平フレーム（１２ａ）の後部にロック部材（１０）を設け、本体フレーム（１１）の水平フレーム（１１ａ）にロック手段（９）を設け、背もたれ部（２）を起こしたときにロック部材（１０）とロック手段（９）が固定状態になり、背もたれ部（２）を倒したときにロック部材（１０）とロック手段（９）の固定が解除された状態になるようにしたことを特徴とする請求項５または６記載の椅子式エアマッサージ機のエアホース接続構造。
【発明の詳細な説明】
【０００１】
【発明の属する技術分野】
この発明は、エアの給排気によりエアバッグを膨縮させてマッサージ施療を行う椅子式エアマッサージ機のエアホース接続構造に関するものである。
【０００２】
【従来の技術】
従来、この種の椅子式エアマッサージ機は、座部の後方に起倒自在として折畳み式とした背もたれ部を装備し、その座部や背もたれ部に複数のエアバッグを配設し、これらエアバッグを膨縮させてマッサージ施療を行うようにしている。
【０００３】
前記エアバッグへのエア供給源であるエアコンプレッサーは、座部の下方に装備されており、エアホースを介して前記エアバッグへエアを給排気している。そして、前記背もたれ部のエアバッグに給排気されるエアホースは、背もたれの起倒動作の障害になったり、梱包時の邪魔になったりしないように、エアコンプレッサーから座部の側部や背もたれ部の側部に沿って配されている。
【０００４】
【発明が解決しようとする課題】
そのため、上記従来の椅子式エアマッサージ機では、エアコンプレッサーから座部の側部や背もたれ部の側部に沿って配されているエアホースが外から見えるため、外観が損なわれるという課題を有していた。
【０００５】
前記エアホースを外から見えなくするためには、背もたれ部を折畳み式とせずに固定式にし、エアホースを座部の後部や背もたれ部の下部から配することが考えられるが、背もたれ部が起きた状態での梱包時の嵩の高さや、不使用時の収納場所の確保などを考えると得策ではない。
【０００６】
また、前記エアホースをジョイント式にして、背もたれ部を倒した状態で梱包しているときなどには、そのエアホースの接続を外した状態にしておき、梱包を解くなどして背もたれ部を起こしたときに使用者に接続してもらう方式も考えられるが、使用者の手間や誤配管、不完全接続などが起こる虞れがあるため、得策とは言えない。
【０００７】
そこで、この発明は、上記従来の課題を解決するものであり、エアホースをジョイント式にし、エアホースが外から見えないようにすると共に、背もたれ部を倒して梱包などした状態から、梱包を解くなどして背もたれ部を起こしたときに、エアホースの接続が自動的に確実に行われるようにした椅子式エアマッサージ機のエアホース接続構造を提供することを目的としてなされたものである。
【０００８】
【課題を解決するための手段】
そのため、この発明の椅子式エアマッサージ機のエアホース接続構造は、座部１の後方に起倒自在とした背もたれ部２を装備し、その座部１および背もたれ部２に複数のエアバッグ３を配設し、これらエアバッグ３を膨縮させてマッサージ施療を行うようにした椅子式エアマッサージ機において、座部１の後部下方にエア供給装置５から配されるエアホース６のジョイント部６ａを配設すると共に、背もたれ部２の下端部にこの背もたれ部２のエアバッグ３から配されるエアホース６のジョイント部６ｂを配設し、背もたれ部２を起こしたときにジョイント部６ａとジョイント部６ｂが結合状態になるようにし、背もたれ部２を倒したときにジョイント部６ａとジョイント部６ｂの結合が外れた状態になるようにしている。
【０００９】
そして、この発明の椅子式エアマッサージ機のエアホース接続構造は、前記エアホース６のジョイント部６ａを、座部１の下方に配設されたフレーム７に突設した支持板８に取り付けたものとしている。
【００１０】
さらに、この発明の椅子式エアマッサージ機のエアホース接続構造は、前記支持板８を弾性体とすることができる。
【００１１】
また、この発明の椅子式エアマッサージ機のエアホース接続構造は、座部１の下方に配設されたフレーム７の後端部にロック部材１０を設け、背もたれ部２の下端部にロック手段９を設け、背もたれ部２を起こしたときにロック部材１０とロック手段９が固定状態になり、背もたれ部２を倒したときにロック部材１０とロック手段９の固定が解除された状態になるようにしている。
【００１２】
そして、この発明の椅子式エアマッサージ機のエアホース接続構造は、前記エアホース６のジョイント部６ａを、背もたれ部２の本体フレーム１１の前方向に回動自在として取り付けた回動フレーム１２の下部に設けた水平フレーム１２ａに取り付けて、座部１の後部下方に配設したものとし、前記エアホース６のジョイント部６ｂを、背もたれ部２の本体フレーム１１の下部に設けた水平フレーム１１ａに取り付けて、背もたれ部２の下端部に配設したものとしている。
【００１３】
さらに、この発明の椅子式エアマッサージ機のエアホース接続構造は、前記本体フレーム１１を、適宜間隔をおいて縦方向に平行に配設した縦フレーム１１ｂの間に、前記水平フレーム１１ａを掛け渡したものとし、前記回動フレーム１２を、適宜間隔をおいて縦方向に平行に配設した縦フレーム１２ｂの間に、前記水平フレーム１２ａを掛け渡したものとし、本体フレーム１１の縦フレーム１１ｂの下部寄りに、回動フレーム１２の縦フレーム１２ｂの上端を軸支し、水平フレーム１２ａが水平フレーム１１ａの下方に位置するようにして、本体フレーム１１の前方向に回動自在として回動フレーム１２を取り付けたものとしている。
【００１４】
また、この発明の椅子式エアマッサージ機のエアホース接続構造は、前記回動フレーム１２の水平フレーム１２ａの後部にロック部材１０を設け、本体フレーム１１の水平フレーム１１ａにロック手段９を設け、背もたれ部２を起こしたときにロック部材１０とロック手段９が固定状態になり、背もたれ部２を倒したときにロック部材１０とロック手段９の固定が解除された状態になるようにしている。
【００１５】
【発明の実施の形態】
以下、この発明の椅子式エアマッサージ機のエアホース接続構造の実施の形態を、図面に基づいて詳細に説明する。
【００１６】
図１〜８は、この発明のエアホース接続構造を実施した椅子式エアマッサージ機の第一の実施の形態を示しており、この椅子式エアマッサージ機は、座部１の後方に起倒自在として折畳み式とした背もたれ部２を装備し、その座部１および背もたれ部２に複数のエアバッグ３を配設し、これらエアバッグ３を膨縮させてマッサージ施療を行うようにしている。なお、図に示した椅子式エアマッサージ機の背もたれ部２には、上下動してマッサージ施療を行うための施療子４を前記エアバッグ３に併設したものとしている。
【００１７】
前記座部１の下方には、エアコンプレッサーなどのエアバッグ３へのエア供給装置５が装備されており、エアホース６を介して前記エアバッグ３へエアを給排気するようにしている。さらに、座部１の後部下方には、エア供給装置５から配されるエアホース６のジョイント部６ａを配設したものとしている。このエアホース６のジョイント部６ａは、座部１の下方に配設されたフレーム７に突設した支持板８に取り付けたものとしている。なお、前記支持板８は、ゴム板などの弾性体とすることができる。また、前記フレーム７の後端部には、後に述べる背もたれ部２の下端部に設けたロック手段９とのロック部材１０を設けたものとしている。このロック部材１０は、図示したものでは略コ字状の止枠とし、フレーム７の後端部に突設したものとしているが、例えばフレーム７の後端部に形成した止溝としたり、フレーム７の後端部に形成した止孔とするなど、各種の形態とすることができる。
【００１８】
前記背もたれ部２の下端部には、この背もたれ部２のエアバッグ３から配されるエアホース６のジョイント部６ｂを配設したものとしている。さらに、背もたれ部２の下端部には、前記フレーム７の後端部に設けたロック部材１０とのロック手段９を設けたものとしている。このロック手段９は、例えば図示したように開閉杆９ａの上下動操作により開閉自在とした止リング９ｂとし、ロック部材１０とした止枠がこの止リング９ｂに嵌脱するようにしているが、前記ロック部材１０の形態に応じた各種の構造とすることができ、そのロック部材１０に応じた各種のロック方式とすることができる。
【００１９】
そして、この発明の椅子式エアマッサージ機のエアホース接続構造は、図１〜３に示したように、背もたれ部２を起こしたときには、図６〜８に示したように、前記ジョイント部６ａとジョイント部６ｂが結合状態になるようにすると共に、前記ロック手段９とロック部材１０が固定状態になるようにし、図４、５に示したように、背もたれ部２を倒したときには、前記ジョイント部６ａとジョイント部６ｂの結合が外れた状態になるようにすると共に、前記ロック手段９とロック部材１０の固定が解除された状態になるようにしている。
【００２０】
すなわち、図１〜３に示したように、背もたれ部２を起こしたときには、背もたれ部２の下端部が座部１の後部下方に近づき、この背もたれ部２の下端部に配設されたエアホース６のジョイント部６ａと、座部１の後部下方に配設されたエアホース６のジョイント部６ｂが合致して、これらジョイント部６ａ、６ｂが結合状態になる。この場合、背もたれ部２の下端部に設けられたロック手段９と、座部１の後部下方に設けられたロック部材１０も合致して、ロック部材１０とロック手段９が固定状態になる。
【００２１】
そして、前記エアホース６は、座部１の後部下方に配されており、前記ジョイント部６ａとジョイント部６ｂが結合状態では、これらジョイント部６ａとジョイント部６ｂは、背もたれ部２の下端部と座部１の後部下方の間になっているので、エアホース６およびそのジョイント部６ａとジョイント部６ｂが外からは見えないようになる。
【００２２】
また、図４、５に示したように、背もたれ部２を倒したときには、背もたれ部２の下端部と座部１の後部下方が離れ、この背もたれ部２の下端部に設けられたエアホース６のジョイント部６ａから座部１の後部下方に設けられたエアホース６のジョイント部６ｂが抜け、これらジョイント部６ａ、６ｂの結合が外れた状態になる。この場合、背もたれ部２の下端部に設けられたロック手段９から座部１の後部下方に設けられたロック部材１０が外れ、これらロック手段９とロック部材１０の固定が解除された状態になる。
【００２３】
なお、前記エアホース６のジョイント部６ａを、座部１の下方に配設されたフレーム７に突設した支持板８に取り付けたものとした場合には、このジョイント部６ａと前記ジョイント部６ｂの位置決めがし易いものになる。さらに、前記支持板８を弾性体とした場合には、前記ジョイント部６ａとジョイント部６ｂが結合状態になったり、ジョイント部６ａとジョイント部６ｂの結合が外れた状態になるときの衝撃が、その支持板８の弾力によって緩和されるので、これらジョイント部６ａ、６ｂが破損し難いものになる。
【００２４】
図９〜２２は、この発明のエアホース接続構造を実施した椅子式エアマッサージ機の第二の実施の形態を示しており、この椅子式エアマッサージ機は、座部１の後方に起倒自在として折畳み式とした背もたれ部２を装備し、その座部１および背もたれ部２に複数のエアバッグ３を配設し、これらエアバッグ３を膨縮させてマッサージ施療を行うようにしている。なお、図に示した椅子式エアマッサージ機の背もたれ部２には、上下動してマッサージ施療を行うための施療子４を前記エアバッグ３に併設したものとしている。
【００２５】
前記座部１の下方には、エアコンプレッサーなどのエアバッグ３へのエア供給装置５が装備されており、エアホース６を介して前記エアバッグ３へエアを給排気するようにしている。座部１の後部下方には、エア供給装置５から配されるエアホース６のジョイント部６ａを配設したものとしている。すなわち、このエアホース６のジョイント部６ａは、後に述べる背もたれ部２の本体フレーム１１に、この本体フレーム１１の前方向に回動自在として取り付けた回動フレーム１２の下部に設けた水平フレーム１２ａに取り付けて、座部１の後部下方に配設したものとしている。さらに、座部１の下方には、油圧シリンダや電動アクチュエータ等からなる背もたれ部２の起倒位置調整手段１３を配設したものとしており、この起倒位置調整手段１３の調整ロッド１３ａの先端を前記回動フレーム１２の水平フレーム１２ａに軸支したものとしている。また、前記水平フレーム１２ａの後部には、後に述べる背もたれ部２の下端部に設けたロック手段９とのロック部材１０を設けたものとしている。このロック部材１０は、図示したものでは略コ字状の止枠とし、水平フレーム１２ａの後部に突設したものとしているが、例えば水平フレーム１２ａの後部に形成した止溝としたり、水平フレーム１２ａの後部に形成した止孔とするなど、各種の形態とすることができる。なお、前記起倒位置調整手段１３は、前記水平フレーム１２ａの後部に設けたロック部材１０が背もたれ部２の下端部に設けたロック手段９に固定した状態において、調整ロッド１３ａを作動させることにより背もたれ部２の起倒位置の調整を行うことができる。
【００２６】
前記背もたれ部２の下端部には、この背もたれ部２のエアバッグ３から配されるエアホース６のジョイント部６ｂを配設したものとしている。すなわち、前記ジョイント部６ｂは、背もたれ部２に配設した複数のエアバッグ３や施療子４を支持したり、背もたれ部２を保持したりする本体フレーム１１の下部に設けた水平フレーム１１ａに取り付けて、背もたれ部２の下端部に配設したものとしている。さらに、背もたれ部２の下端部には、前記水平フレーム１２ａの後部に設けたロック部材１０とのロック手段９を設けたものとしている。このロック手段９は、例えば図示したように操作杆１４ａの上下方向の回動操作により係脱自在とした係合部材１４ｂとし、ロック部材１０とした止枠がこの係合部材１４ｂに係脱するようにしているが、前記ロック部材１０の形態に応じた各種の構造とすることができ、そのロック部材１０に応じた各種のロック方式とすることができる。
【００２７】
なお、前記本体フレーム１１は、適宜間隔をおいて縦方向に平行に配設した縦フレーム１１ｂの間に、前記水平フレーム１１ａを掛け渡したものとしており、前記回動フレーム１２は、適宜間隔をおいて縦方向に平行に配設した縦フレーム１２ｂの間に、前記水平フレーム１２ａを掛け渡したものとしており、図１６に示したように、本体フレーム１１の縦フレーム１１ｂの下部寄りに、回動フレーム１２の縦フレーム１２ｂの上端を軸支し、水平フレーム１２ａが水平フレーム１１ａの下方に位置するようにして、本体フレーム１１の前方向に回動自在として回動フレーム１２を取り付けたものとしている。このようにすることにより、本体フレーム１１の水平フレーム１１ａに固定した前記エアホース６のジョイント部６ａと、回動フレーム１２の水平フレーム１２ａに固定したエアホース６のジョイント部６ｂとを対向した位置に位置合わせするのがし易くなり、後に述べるように背もたれ部２を起こしたり、後ろに傾斜させて、ジョイント部６ａとジョイント部６ｂが結合状態になるときに、両者の間に位置ずれが生じ難いものとなる。
【００２８】
前記エアホース６のジョイント部６ａとジョイント部６ｂは、図１８〜図２２に示したように、一方をソケット形式とし他方をプラグ形式としているが、このような形式に限定されるものではない。図示したものは、ジョイント部６ａをソケット形式とし、ジョイント部６ｂをプラグ形式としている。
【００２９】
図１８〜２０に示したジョイント部６ａは、水平フレーム１２ａに固着した管状ホルダ１５に、エアホース６の先端に連結したパイプ１６の外周に適宜間隔をおいて突設したＥリング１７ａ、１７ｂ間をバネ１８の弾力を受け摺動自在として前記パイプ１６を挿入したものとし、さらにこのパイプ１６の先端にカプラ１９を取り付けたものとしている。図１８〜２０に示したジョイント部６ｂは、エアホース６の先端に連結したパイプ２０を水平フレーム１１ａに固着したものとし、そのパイプ２０の先端２０ａを前記カプラ１９に当接または挿入するものとしている。このようにすることにより、前記エアホース６のジョイント部６ａとジョイント部６ｂとは簡単に結合できるものとなる。
【００３０】
図２１、２２に示したジョイント部６ａは、水平フレーム１２ａに固着した管状ホルダ２１にエアホース６の先端に連結したパイプ１６を固着し、さらに管状ホルダ２１の後端部の外周溝２１ａにバネ２２の弾力を受け摺動自在とした作動スリーブ２３を設け、管状ホルダ２１の内部にバネ２４の弾力を受け摺動自在とした連結パイプ２５を設け、管状ホルダ２１の先端部のリング溝２１ｂに設けたボール孔（図示せず）に、作動スリーブ２３によって管状ホルダ２１の内部に突出自在としたプラグ係止ボール２６を設けたものとしている。図２１、２２に示したジョイント部６ｂは、エアホース６の先端に連結したパイプ２０を水平フレーム１１ａに固着し、そのパイプ２０の先端にリング溝２７ａを設けたプラグ２７を連結したものとし、このプラグ２７を前記管状ホルダ２１の先端から差し込んで連結パイプ２５に当接させると、作動スリーブ２３が進出してプラグ係止ボール２６がプラグ２７のリング溝２７ａに嵌まってロック状態になり、進出状態にある作動スリーブ２３を後退させると、前記リング溝２７ａからプラグ係止ボール２６が外れて、プラグ２７が管状ホルダ２１から抜けるようにしている。このようにすることにより、前記エアホース６のジョイント部６ａとジョイント部６ｂとは確実に結合できるものとなる。
【００３１】
そして、この発明の椅子式エアマッサージ機のエアホース接続構造は、図１１に示したように、椅子式エアマッサージ機を梱包しているときなど背もたれ部２を前に倒した状態では、前記ジョイント部６ａとジョイント部６ｂの結合が外れた状態になるようにすると共に、前記ロック手段９とロック部材１０の固定が解除された状態になるようにし、図１２、１３に示したように、椅子式エアマッサージ機の使用時など、背もたれ部２を起こしたり、後ろに傾斜させた状態では、前記ジョイント部６ａとジョイント部６ｂが結合状態になるようにすると共に、前記ロック手段９とロック部材１０が固定状態になるようにしている。
【００３２】
すなわち、図１１に示したように、背もたれ部２を前に倒した状態では、背もたれ部２の下端部と座部１の後部下方が離れ、背もたれ部２の回動フレーム１２が本体フレーム１１の前方向に回動した状態となって、背もたれ部２の下端部に設けられたエアホース６のジョイント部６ｂから座部１の後部下方に設けられたエアホース６のジョイント部６ａが離れ、これらジョイント部６ａ、６ｂの結合が外れた状態になる。この場合、背もたれ部２の下端部に設けられたロック手段９から座部１の後部下方に設けられたロック部材１０が外れ、これらロック手段９とロック部材１０の固定が解除された状態になる。
【００３３】
また、図１２、１３に示したように、背もたれ部２を起こしたり、後ろに傾斜させた状態では、背もたれ部２の下端部が座部１の後部下方に近づき、背もたれ部２の回動フレーム１２が回動して本体フレーム１１に重なるような状態となって、背もたれ部２の下端部に設けられたエアホース６のジョイント部６ａと、座部１の後部下方に設けられたエアホース６のジョイント部６ｂが合致して、これらジョイント部６ａ、６ｂが結合状態になる。この場合、背もたれ部２の下端部に設けられたロック手段９と、座部１の後部下方に設けられたロック部材１０も合致して、ロック部材１０とロック手段９が固定状態になる。
【００３４】
そして、前記エアホース６は、座部１の後部下方に配されており、前記ジョイント部６ａとジョイント部６ｂが結合状態では、これらジョイント部６ａとジョイント部６ｂは、背もたれ部２の下端部と座部１の後部下方の間になっているので、エアホース６およびそのジョイント部６ａとジョイント部６ｂが外からは見えないようになる。
【００３５】
【発明の効果】
この発明の椅子式エアマッサージ機のエアホース接続構造は、以上に述べたように構成されているので、エアホースが外から見えないようになると共に、背もたれ部を倒して梱包などした状態から、梱包を解くなどして背もたれ部を起こしたときに、エアホースの接続が自動的に確実に行われるようになる。
【図面の簡単な説明】
【図１】この発明のエアホース接続構造を用いた椅子式エアマッサージ機の第一の実施の形態の背もたれを起こした状態の斜視図である。
【図２】図１に示すこの発明の椅子式エアマッサージ機の側面図である。
【図３】図１に示すこの発明の椅子式エアマッサージ機の内部を示す説明図である。
【図４】図１に示すこの発明の椅子式エアマッサージ機の背もたれを倒した状態の側面図である。
【図５】図１に示すこの発明の椅子式エアマッサージ機の背もたれを倒した状態の内部説明図である。
【図６】図１に示すこの発明の椅子式エアマッサージ機において、エアホースのジョイント部とジョイント部とが結合する前の状態を示す説明図である。
【図７】図１に示すこの発明の椅子式エアマッサージ機において、エアホースのジョイント部とジョイント部とが結合しつつある状態を示す説明図である。
【図８】図１に示すこの発明の椅子式エアマッサージ機において、エアホースのジョイント部とジョイント部とが結合した状態を示す説明図である。
【図９】この発明のエアホース接続構造を用いた椅子式エアマッサージ機の第二の実施の形態の背もたれを起こした状態の斜視図である。
【図１０】図９に示すこの発明の椅子式エアマッサージ機に使用者が座った状態を示す斜視図である。
【図１１】図９に示すこの発明の椅子式エアマッサージ機の背もたれを倒した状態の一部切欠側面図である。
【図１２】図１１に示すこの発明の椅子式エアマッサージ機の背もたれを起こした状態の一部切欠側面図である。
【図１３】図１２に示すこの発明の椅子式エアマッサージ機の背もたれを後ろに傾斜させた状態の一部切欠側面図である。
【図１４】図９に示すこの発明の椅子式エアマッサージ機において、エアホースのジョイント部とジョイント部とが結合する前の状態を示す説明図である。
【図１５】図９に示すこの発明の椅子式エアマッサージ機において、エアホースのジョイント部とジョイント部とが結合した状態を示す説明図である。
【図１６】図９に示すこの発明の椅子式エアマッサージ機において、本体フレームの前方向に回動自在として回動フレームを取り付けた状態を示す説明図である。
【図１７】図９に示すこの発明の椅子式エアマッサージ機において、エアホースのジョイント部とジョイント部とが結合した状態の一例を示す部分斜視図である。
【図１８】図９に示すこの発明の椅子式エアマッサージ機において、エアホースのジョイント部とジョイント部とが結合した状態の一例を示す側面図である。
【図１９】図９に示すこの発明の椅子式エアマッサージ機において、エアホースのジョイント部とジョイント部との結合が外れた状態の一例を示す断面図である。
【図２０】図９に示すこの発明の椅子式エアマッサージ機において、エアホースのジョイント部とジョイント部とが結合した状態の一例を示す断面図である。
【図２１】図９に示すこの発明の椅子式エアマッサージ機において、エアホースのジョイント部とジョイント部との結合が外れた状態の他の例を示す断面図である。
【図２２】図９に示すこの発明の椅子式エアマッサージ機において、エアホースのジョイント部とジョイント部とが結合した状態の他の例を示す断面図である。
【符号の説明】
１　座部
２　背もたれ部
３　エアバッグ
５　エア供給装置
６　エアホース
６ａ　ジョイント部
６ｂ　ジョイント部
７　フレーム
８　弾性支持板
９　ロック手段
１０　ロック部材
１１　本体フレーム
１１ａ　水平フレーム
１２　回動フレーム
１２ａ　水平フレーム
【図１】
2004141622.tif 000003
【図２】
2004141622.tif 000004
【図３】
2004141622.tif 000005
【図４】
2004141622.tif 000006
【図５】
2004141622.tif 000007
【図６】
2004141622.tif 000008
【図７】
2004141622.tif 000009
【図８】
2004141622.tif 000010
【図９】
2004141622.tif 000011
【図１０】
2004141622.tif 000012
【図１１】
2004141622.tif 000013
【図１２】
2004141622.tif 000014
【図１３】
2004141622.tif 000015
【図１４】
2004141622.tif 000016
【図１５】
2004141622.tif 000017
【図１６】
2004141622.tif 000018
【図１７】
2004141622.tif 000019
【図１８】
2004141622.tif 000020
【図１９】
2004141622.tif 000021
【図２０】
2004141622.tif 000022
【図２１】
2004141622.tif 000023
【図２２】
2004141622.tif 000024